【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
低磁場磁気共鳴イメージングシステムであって、当該低磁場磁気共鳴イメージングシステムは、
約０．２テスラ（Ｔ）以下の磁場強度を有するＢ０磁場を生成するように構成された少なくとも１つのＢ０磁性要素と、
前記低磁場磁気共鳴イメージングシステムが１つ又は複数の外部コンピュータ装置と通信することを可能にする少なくとも１つの通信インターフェイスと、
少なくとも１つのプロセッサと、を有しており、
該少なくとも１つのプロセッサは、
少なくとも１つの外部コンピュータ装置との接続を開始し、
前記少なくとも１つのプロセッサを使用して、前記少なくとも１つの外部コンピュータ装置と情報を交換する、ように構成される、
低磁場磁気共鳴イメージングシステム。
【請求項２】
前記少なくとも１つのＢ０磁性要素は、約０．２Ｔ以下であって且つ約０．１Ｔ以上の磁場強度を有するＢ０磁場を生成するように構成される、請求項１に記載の低磁場磁気共鳴イメージングシステム。
【請求項３】
前記少なくとも１つのＢ０磁性要素は、約０．１Ｔ以下であって且つ約５０ミリテスラ（ｍＴ）以上の磁場強度を有するＢ０磁場を生成するように構成される、請求項１に記載の低磁場磁気共鳴イメージングシステム。
【請求項４】
前記少なくとも１つのＢ０磁性要素は、約５０ｍＴ以下であって且つ約２０ｍＴ以上の磁場強度を有するＢ０磁場を生成するように構成される、請求項１に記載の低磁場磁気共鳴イメージングシステム。
【請求項５】
前記少なくとも１つのＢ０磁性要素は、約２０ｍＴ以下であって且つ約１０ｍＴ以上の磁場強度を有するＢ０磁場を生成するように構成される、請求項１に記載の低磁場磁気共鳴イメージングシステム。
【請求項６】
前記少なくとも１つの外部コンピュータ装置は、モバイルコンピュータ装置を含み、前記情報を交換することは、前記モバイルコンピュータ装置からの前記磁気共鳴イメージングシステムの動作を容易にする情報を前記モバイルコンピュータ装置に提供することを含む、請求項１に記載の低磁場磁気共鳴イメージングシステム。
【請求項７】
前記モバイルコンピュータ装置は、前記磁気共鳴イメージングシステムに近接して配置される間に情報を交換する、請求項６に記載の低磁場磁気共鳴イメージングシステム。
【請求項８】
前記モバイルコンピュータ装置は、前記磁気共鳴イメージングシステムと同じ部屋に配置される間に情報を交換する、請求項６に記載の低磁場磁気共鳴イメージングシステム。
【請求項９】
前記磁気共鳴イメージングシステムは、該磁気共鳴イメージングシステムのタイプ及び／又は能力に関する情報を前記モバイルコンピュータ装置に提供する、請求項６に記載の低磁場磁気共鳴イメージングシステム。
【請求項１０】
前記磁気共鳴イメージングシステムは、該磁気共鳴イメージングシステムに関する状態を前記モバイルコンピュータ装置に提供する、請求項６に記載の低磁場磁気共鳴イメージングシステム。
【請求項１１】
前記磁気共鳴イメージングシステムは、該磁気共鳴イメージングシステムが動作の準備が整った旨の指標を前記モバイルコンピュータ装置に提供する、請求項６に記載の低磁場磁気共鳴イメージングシステム。
【請求項１２】
前記磁気共鳴イメージングシステムは、該磁気共鳴イメージングシステムを動作させることに対する少なくとも１つの障害に関する情報を前記モバイルコンピュータ装置に提供する、請求項６に記載の低磁場磁気共鳴イメージングシステム。
【請求項１３】
前記少なくとも１つの障害に関する情報は、前記磁気共鳴イメージングシステムによって検出された少なくとも１つのノイズ源、前記磁気共鳴イメージングシステム内で検出された開回路及び／又は短絡回路、１つ又は複数の欠落した構成要素の検出、及び／又は起動及び／又はウォーミングアップ手順が完了していない旨の指標の少なくとも１つを含む、請求項１２に記載の低磁場磁気共鳴イメージングシステム。
【請求項１４】
前記モバイルコンピュータ装置から命令を受信して、少なくとも１つの画像取得プロセスを実行することをさらに含む、請求項６に記載の低磁場磁気共鳴イメージングシステム。
【請求項１５】
前記モバイルコンピュータ装置は、ユーザが前記磁気共鳴イメージングシステムを操作することを可能にするインターフェイスを有しており、
前記モバイルコンピュータ装置上の前記インターフェイスを介して、前記磁気共鳴イメージングシステムを動作させて、少なくとも１つの画像を取得することをさらに含む、請求項１４に記載の低磁場磁気共鳴イメージングシステム。
【請求項１６】
前記モバイルコンピュータ装置は、タブレットを含む、請求項６に記載の低磁場磁気共鳴イメージングシステム。
【請求項１７】
前記モバイルコンピュータ装置は、スマートフォンを含む、請求項６に記載の低磁場磁気共鳴イメージングシステム。
【請求項１８】
前記モバイルコンピュータ装置は、ウェアラブル装置を含む、請求項６に記載の低磁場磁気共鳴イメージングシステム。
【請求項１９】
前記少なくとも１つの外部コンピュータ装置は、少なくとも１つの他の磁気共鳴イメージングシステムの少なくとも１つのプロセッサを含む、請求項１に記載の低磁場磁気共鳴イメージングシステム。
【請求項２０】
前記情報を交換することは、少なくとも１つの動作パラメータを前記少なくとも１つの他の磁気共鳴イメージングシステムと交換することを含む、請求項１９に記載の低磁場磁気共鳴イメージングシステム。
【請求項２１】
前記接続を開始することは、少なくとも１つのネットワークを介して前記少なくとも１つの他の磁気共鳴イメージングシステムへの接続を開始することを含む、請求項１９に記載の低磁場磁気共鳴イメージングシステム。
【請求項２２】
前記少なくとも１つの外部コンピュータ装置は、少なくとも１つのネットワークを介してアクセス可能な遠隔サーバを含み、
前記接続を開始することは、前記少なくとも１つのネットワークを介して前記遠隔サーバに接続することを含む、請求項１に記載の低磁場磁気共鳴イメージングシステム。
【請求項２３】
前記遠隔サーバは、複数の磁気共鳴イメージングシステムに関する情報を記憶する、請求項２２に記載の低磁場磁気共鳴イメージングシステム。
【請求項２４】
前記遠隔サーバは、前記複数の低磁場磁気共鳴イメージングシステムの活動、及び／又は前記複数の低磁場磁気共鳴イメージングシステム同士の間の活動を調整するように構成される、請求項２３に記載の低磁場磁気共鳴イメージングシステム。
【請求項２５】
前記情報を交換することは、前記磁気共鳴イメージングシステムを動作させる際に使用される情報を前記遠隔サーバから受信することを含む、請求項２２に記載の低磁場磁気共鳴イメージングシステム。
【請求項２６】
前記低磁場磁気共鳴イメージングシステムは、遮蔽されていない部屋で動作するように構成される、請求項１に記載の低磁場磁気共鳴イメージングシステム。
【請求項２７】
磁気共鳴イメージングシステムが少なくとも１つの外部コンピュータ装置と通信することを可能にする少なくとも１つの通信インターフェイスを含む磁気共鳴イメージングシステムの作動方法であって、当該作動方法は、
前記磁気共鳴イメージングシステムの少なくとも１つのプロセッサが、少なくとも１つの外部コンピュータ装置との接続を開始するステップと、
前記少なくとも１つのプロセッサを使用して、前記少なくとも１つの外部コンピュータ装置と情報を交換するステップと、を含む、
作動方法。
【請求項２８】
前記少なくとも１つの外部コンピュータ装置は、モバイルコンピュータ装置を含み、前記情報を交換するステップは、前記モバイルコンピュータ装置からの前記磁気共鳴イメージングシステムの動作を容易にする情報を前記モバイルコンピュータ装置に提供するステップを含む、請求項２７に記載の作動方法。
【請求項２９】
前記少なくとも１つの外部コンピュータ装置は、少なくとも１つの他の磁気共鳴イメージングシステムの少なくとも１つのプロセッサを含む、請求項２７に記載の作動方法。
【請求項３０】
前記少なくとも１つの外部コンピュータ装置は、少なくとも１つのネットワークを介してアクセス可能な遠隔サーバを含み、
前記接続を開始するステップは、前記少なくとも１つのネットワークを介して前記遠隔サーバに接続するステップを含む、請求項２７に記載の作動方法。